(57)【要約】【課題】  信号強度出力に偏りのある既存の無線通信システムを用いながら、端末位置を高精度に検出可能な位置検出の方法及びシステムを提供すること。【解決手段】  位置の異なる複数のアンテナ２ａ〜２ｄと、各アンテナからの受信信号をそれぞれ複数の減衰量で減衰処理可能なアッテネータ３とを用い、位置検出サーバー５において該減衰手段を経た受信信号について基地局４からの信号強度出力を減衰量と共にアンテナ毎に記録し、予め位置と該データの関係を調べたサンプルデータベースとその測定値を比較することで、端末位置を推定し出力する。【選択図】  図１
2005210656.tif 000002
【特許請求の範囲】
【請求項１】
端末からの信号を基地局で受信する際に基地局において得られる信号強度出力が、実際の信号強度を変換して大小の少なくともいずれかに偏った信号強度出力を行うようにした無線通信システムを用いる端末位置検出方法であって、
位置の異なる複数のアンテナを配設し、
全てのアンテナで受信した受信信号に対して異なる複数の減衰量の減衰処理を行い、各減衰量における上記信号強度出力を得ると共に、
各アンテナにおける該減衰量及び信号強度出力の関係と、予め複数の位置に端末を設置して該関係を測定した結果とを比較し、
最も近似した結果を示す位置を、該端末の現在の存在位置又は存在領域として出力する
ことを特徴とする端末位置の検出方法。
【請求項２】
前記端末位置の検出方法において、
前記複数のアンテナを、同一の基地局に接続し、
該基地局において各アンテナからの受信信号を順次切り替えることにより前記各アンテナにおける該減衰量及び信号強度出力の関係を得る
ことを特徴とする請求項１に記載の端末位置の検出方法。
【請求項３】
前記端末位置の検出方法において、
各アンテナにおける該減衰量及び信号強度出力の関係を、（アンテナ数×減衰量の種類数）次元の信号強度出力のベクトルデータ形式で表し、同様のベクトルデータ形式で表される前記予め測定した結果とのベクトル量の差が最小となる位置を、該端末の現在の存在位置又は存在領域として出力する
ことを特徴とする請求項１又は２に記載の端末位置の検出方法。
【請求項４】
前記ベクトル量の差を求める際に、ベクトル間のユークリッド距離を算出し、該ユークリッド距離が最小となる位置を、該端末の現在の存在位置又は存在領域として出力する
ことを特徴とする請求項３に記載の端末位置の検出方法。
【請求項５】
前記無線通信システムが、ブルートゥースリンクである
ことを特徴とする請求項１ないし４に記載の端末位置の検出方法。
【請求項６】
端末からの信号を基地局で受信する際に基地局において得られる信号強度出力が、実際の信号強度を変換して大小の少なくともいずれかに偏った信号強度出力を行うようにした無線通信システムを用いる端末位置検出システムであって、
位置の異なる複数のアンテナと、
各アンテナからの受信信号をそれぞれ複数の減衰量で減衰処理可能な減衰手段と、
該減衰手段を経た受信信号について基地局からの信号強度出力を減衰量と共にアンテナ毎に記録する記録手段と、
予め複数の位置に端末を設置してアンテナ毎の減衰量及び信号強度出力の関係を測定した結果を備えたサンプルデータベースと、
該記録手段における記録値と、該サンプルデータベースとを比較し、最も近似した結果を示す位置を、該端末の現在の存在位置又は存在領域として出力する比較出力手段と
を備えたことを特徴とする端末位置検出システム。
【請求項７】
前記端末位置検出システムにおいて、
前記複数のアンテナを、同一の基地局に接続し、
該基地局において各アンテナからの受信信号を順次切り替える入力切り替え手段を備えた
ことを特徴とする請求項６に記載の端末位置検出システム。
【請求項８】
前記端末位置検出システムにおいて、
各アンテナにおける該減衰量及び信号強度出力の関係を、（アンテナ数×減衰量の種類数）次元の信号強度出力のベクトルデータ形式で表して記録手段に記録すると共に、前記サンプルデータベースも同様のベクトルデータ形式で格納しておき、
両ベクトル量の差を演算する演算手段と、
該演算結果が最小となる位置を、該端末の現在の存在位置又は存在領域として比較出力手段から出力する
ことを特徴とする請求項６又は７に記載の端末位置検出システム。
【請求項９】
前記ベクトル量の差を求める際に、前記演算手段でベクトル間のユークリッド距離を算出し、該ユークリッド距離が最小となる位置を、該端末の現在の存在位置又は存在領域として比較出力手段から出力する
ことを特徴とする請求項８に記載の端末位置の検出システム。
【請求項１０】
前記無線通信システムが、ブルートゥースリンクである
ことを特徴とする請求項６ないし９に記載の端末位置検出システム。
【発明の詳細な説明】
【技術分野】
【０００１】  本発明は既存の無線通信システムを用いて、所定の空間内で端末位置を検出する方法及び、そのシステムに関し、より詳しくは例えばブルートゥースのような省電力のデバイスで高速かつ効率的に端末位置を検出する技術に関する。
【背景技術】
【０００２】  従来から、端末から無線で電波を発信し、その電波の強弱を複数の基地局で受信して、３角測量と同様の原理で端末の位置を検出する方法が知られている。
また、非特許文献１に開示されるＲＡＤＡＲと称される技術のように、既存の無線ＬＡＮ（８０２．１１ｂ）の通信システムを用いて、ユーザーの位置確認を行うシステムも提案されている。【０００３】  ＲＡＤＡＲは、無線ＬＡＮを用いると共に、特別なハードウェアを要求せず、ソフトウェアによりシステムを実現するため簡便であるが、一方で多くの消費電力を要し、長時間の待機を行うためには端末側に相当のバッテリを備えなければならない問題がある。【０００４】
【非特許文献１】  Ｐ．Ｂａｈａｌ  ａｎｄ  Ｖ．Ｐａｄｍａｎａｂｈａｎ．ＲＡＤＡＲ：Ａｎ  Ｉｎ−Ｂｕｉｌｄｉｎｇ  ＲＦ−ｂａｓｅｄ  Ｕｓｅｒ  Ｌｏｃａｔｉｏｎ  ａｎｄ  Ｔｒａｃｋｉｎｇ  Ｓｙｓｔｅｍ．Ｉｎ  Ｐｒｏｃ．ＩＥＥＥ  ＩＮＦＯＣＯＭ，Ｔｅｌ−Ａｖｉｖ，Ｉｓｒａｅｌ，Ｍａｒｃｈ  ２０００．
【０００５】  その他、簡便に利用できる無線通信方法としては、赤外線通信やブルートゥースが知られている。赤外線通信は、構造が単純で低コストの利点があるが、障害物で光が遮られるとつながらず、近距離でしか使えない制約があり、位置検出には適していない。【０００６】  ＰＤＡ（Ｐｅｒｓｏｎａｌ  Ｄｉｇｉｔａｌ  Ａｓｓｉｓｔａｎｃｅ）などの携帯情報端末や、携帯電話、ノート型パソコンをはじめとして、一般の家電製品などにＢｌｕｅｔｏｏｔｈ（ブルートゥース）と呼ばれる規格に基づく通信システムが用いられるようになってきている。ブルートゥースについては、非特許文献２に示すウェブサイトに開示されている。【０００７】
【非特許文献２】  ｈｔｔｐｓ：／／ｗｗｗ．ｂｌｕｅｔｏｏｔｈ．ｏｒｇ／
【０００８】  ブルートゥースには、パソコンとテレビなど異なる種類の機器同士でも通信ができ、印刷や画像送信にも使えるほか、２．４ギガ・ヘルツの周波数帯域の電波を利用し、どこの国でも制限なしに利用できる利点がある。そして、無線ＬＡＮに比較して消費電力が少なく、チップも小さい特徴を有している。
このようなブルートゥースを位置検出に用いることは、省電力化を図ると共に、チャンネル数の制約も少ないため好適であり，従来特許文献１、２に示すような技術が開示されている。【０００９】
【特許文献１】  特開２００３−２７４４４１号公報
【特許文献２】  特開２００３−７８９４１号公報
【００１０】  しかしながら、従来の技術はいずれもブルートゥースのいずれの基地局に近づいたかを認識するものであり、より詳細な位置を特定することができるシステムではない。これはブルートゥースにおける電波強度の出力が次のような特性を有しているからである。【００１１】  すなわち、ごく近距離間での通信を目的とした既存のシステムでは、通信が可能な状態と、不可能な状態を明瞭に区別するために、受信した電波の信号強度を、実際の信号強度そのままではなく、一度変換して強度大の場合と、強度小の場合に偏って出力するようにしている。
このような構成は、実際の通信の場面においては有効であり、この仕組みそのものを排除してしまうのは、通信時の機能を損ねるだけでなく、通信設備の変更が必要となり、設備コスト上の問題もある。【００１２】  そこで、このような信号強度出力特性を有する既存の無線通信を用いながら、電波強度に相当する情報を得て、高精度な位置検出を行えるような方法が望まれていた。
【発明の開示】
【発明が解決しようとする課題】
【００１３】  本発明は、信号強度出力に偏りのある既存の無線通信システムを用いながら、端末位置を高精度に検出可能な位置検出の方法及びシステムを提供することを目的とする。
【課題を解決するための手段】
【００１４】  本発明は、上記の課題を解決するために、次のような端末位置検出方法を提供する。
すなわち、請求項１に記載の発明は、端末からの信号を基地局で受信する際に基地局において得られる信号強度出力が、実際の信号強度を変換して大小の少なくともいずれかに偏った信号強度出力を行うようにした無線通信システムを用いる端末位置検出方法である。該方法では、位置の異なる複数のアンテナを配設し、全てのアンテナで受信した受信信号に対して異なる複数の減衰量の減衰処理を行い、各減衰量における上記信号強度出力を得ると共に、各アンテナにおける該減衰量及び信号強度出力の関係と、予め複数の位置に端末を設置して該関係を測定した結果とを比較し、最も近似した結果を示す位置を、該端末の現在の存在位置又は存在領域として出力することを特徴とするものである。【００１５】  請求項２に記載の発明は、上記請求項１の端末位置の検出方法において、複数のアンテナを、同一の基地局に接続し、該基地局において各アンテナからの受信信号を順次切り替えることにより前記各アンテナにおける該減衰量及び信号強度出力の関係を得ることを特徴とする。【００１６】  また、請求項３に記載の発明は、上記いずれかの端末位置の検出方法において、各アンテナにおける該減衰量及び信号強度出力の関係を、（アンテナ数×減衰量の種類数）次元の信号強度出力のベクトルデータ形式で表し、同様のベクトルデータ形式で表される前記予め測定した結果とのベクトル量の差が最小となる位置を、該端末の現在の存在位置又は存在領域として出力する構成を提供する。【００１７】  請求項４に記載の発明では、請求項３記載の発明において、ベクトル量の差を求める際に、ベクトル間のユークリッド距離を算出し、該ユークリッド距離が最小となる位置を、該端末の現在の存在位置又は存在領域として出力することを特徴とするものである。【００１８】  請求項５記載の発明は、前記無線通信システムが、ブルートゥースリンクであることを特徴とする。【００１９】  本発明では、次のような端末位置検出システムを提供することもできる。
すなわち、請求項６記載の発明は、端末からの信号を基地局で受信する際に基地局において得られる信号強度出力が、実際の信号強度を変換して大小の少なくともいずれかに偏った信号強度出力を行うようにした無線通信システムを用いる端末位置検出システムであって、位置の異なる複数のアンテナと、各アンテナからの受信信号をそれぞれ複数の減衰量で減衰処理可能な減衰手段と、該減衰手段を経た受信信号について基地局からの信号強度出力を減衰量と共にアンテナ毎に記録する記録手段と、予め複数の位置に端末を設置してアンテナ毎の減衰量及び信号強度出力の関係を測定した結果を備えたサンプルデータベースと、該記録手段における記録値と、該サンプルデータベースとを比較し、最も近似した結果を示す位置を、該端末の現在の存在位置又は存在領域として出力する比較出力手段とを備える。【００２０】  請求項７に記載の発明は、請求項６の端末位置検出システムにおいて、複数のアンテナを、同一の基地局に接続し、該基地局において各アンテナからの受信信号を順次切り替える入力切り替え手段を備えたことを特徴とする。【００２１】  請求項８に記載の発明は、各アンテナにおける該減衰量及び信号強度出力の関係を、（アンテナ数×減衰量の種類数）次元の信号強度出力のベクトルデータ形式で表して記録手段に記録すると共に、前記サンプルデータベースも同様のベクトルデータ形式で格納しておき、両ベクトル量の差を演算する演算手段と、該演算結果が最小となる位置を、該端末の現在の存在位置又は存在領域として比較出力手段から出力することを特徴とするものである。【００２２】  請求項９に記載の発明は、前記ベクトル量の差を求める際に、前記演算手段でベクトル間のユークリッド距離を算出し、該ユークリッド距離が最小となる位置を、該端末の現在の存在位置又は存在領域として比較出力手段から出力する請求項８記載の端末位置の検出方法を提供する。
また、請求項１０の発明に基づけば、前記無線通信システムが、ブルートゥースリンクである端末位置検出システムを提供することもできる。
【発明の効果】
【００２３】  以上の発明により次の効果を奏する。すなわち、本発明の請求項１及び請求項６に記載の発明によれば、受信信号に対して複数の減衰量の減衰処理を行うことで、該減衰量と信号強度出力の関係を得ることができる。
小さな減衰量であっても、信号強度出力が急に小さくなる場合は、実際の受信信号強度が小側であることを示し、大きな減衰量としたときに初めて信号強度出力が急に小さくなる場合には、実際の受信信号強度は大側であることを示す。これらの関係により、擬似的に受信信号強度を検知することができる。【００２４】  また、アッテネータとして知られる減衰器を追加するだけの簡単な構成で本システムを構築できるので、既存の通信システムを活用することができ、また通信機能は従前の通り利用可能である。
これらのシステムは設備コストの抑制、良好なメンテナンス性に寄与するものである。【００２５】  請求項２及び７に記載の端末位置検出方法・システムでは、基地局を１つとすることにより、端末との接続確立を１回で済ますことができるので、検出時間の短縮に寄与する。すなわち、本システムでは、端末と複数のアンテナとの間で通信を行う（信号強度を測定する）ために、複数のアンテナ毎に基地局を設けると各アンテナとの通信の度に接続確立を行わねばならず、通信時間が極めて長くなる問題がある。この点、１個の基地局として、アンテナだけを切り換えるように構成することで、１度の接続確立で済む。【００２６】  請求項３又は８に記載の端末位置検出方法・システムでは、ベクトルデータ形式とすることで、演算が簡便であり、少ない記憶容量、計算量にて処理を行うことができる。特に請求項４又は９に記載の発明の通り、ユークリッド距離を用いる方法は、計算量が少なく、位置検出時間の短縮化に寄与するものである。
請求項５又は１０記載の発明は、既存のブルートゥースリンクを用いる構成のため、すでにＰＤＡなどに搭載しているブルートゥースタグを用いて、本発明の実施を行うことができる。規格化された通信システムを採用することで、タグの種類にかかわらず、位置検出対象とすることができるため、システムの汎用化を図られる。
【発明を実施するための最良の形態】
【００２７】  以下、本発明の実施形態を、図面に示す実施例を基に説明する。なお、実施形態は下記に限定されるものではない。
図１は、本発明に係る端末位置検出システムの全体構成図である。端末は、例えば携帯情報端末ＰＤＡ（１０）に公知のブルートゥースモジュール（１１）を内蔵し、ブルートゥースを利用可能にしたものである。【００２８】  そして、位置検出を行う所定の空間、例えばある室内（１）に、ブルートゥースアンテナを４基（２ａ）（２ｂ）（２ｃ）（２ｄ）設置する。アンテナの基数は任意であり、室内の大小に応じて設置することができるが、適宜十分な間隔を設けて設置することが望ましい。
なお、特に位置検出する領域が室内において限られている場合には、該領域近傍のアンテナ密度を高く、その他の領域では密度を低く設けても良い。【００２９】  そして、本発明では該アンテナからの受信信号を減衰し、その減衰量を自在に変更できる可変アッテネータを基地局（４）内に設ける。図１では基地局は室外に描いているが、可変アッテネータ（３）や基地局（４）、位置検出サーバー（５）も室内でも室外でも構わない。【００３０】  各アンテナ（２ａ）〜（２ｄ）からの信号は、すべて同一の基地局（４）に入力する。基地局（４）の構成図を図２に示す。基地局（４）は既存のブルートゥース通信システムにおけるアクセスポイント（２０）に加えてアンテナ切り換え部（２１）を設けている。アンテナ切り換え（２１）とアクセスポイント（２０）の間には上述した可変アッテネータ（３）が配備される。
アクセスポイント（２０）の構成は公知であり、アンテナとの信号の入出力を司る信号入出力部（２４）や、通信を確立し信号を他のサーバーやクライアント等の接続機器に中継する通信モジュール（２２）、受信した信号強度を接続機器に通知する信号強度出力部（２３）等が設けられている。【００３１】  そして、本発明では、アンテナ切り換え部（２１）を、アクセスポイント（２０）の信号入出力部（２４）に接続し、後述する位置検出サーバー（５）からの指示に従って切り換え動作させる。そのため、位置検出サーバー（５）と通信可能なアンテナ切り換え処理部（２５）を設け、アンテナ切り換え指示信号を受信すると、スイッチング回路を作動し、接続するアンテナ（２ａ）〜（２ｄ）をスイッチングするように構成している。
このような構成により、例えば１回の接続確立に３秒を要する通信システムの場合、従来は４つの基地局で１２秒必要であったが、これが３秒で済むように短縮できる。【００３２】  さらに、図３は、本発明に係る位置検出サーバー（５）の構成図である。該位置検出サーバー（５）は一般的なパーソナルコンピュータ、ワークステーションなどで構成するのが簡便であり、このような機器は、情報処理・演算処理を行うＣＰＵを中心に、それと連動するメモリ（３１）やハードディスク（３２）、画面表示を行うモニタ（３３）、通信機能を司るネットワークアダプタ（３４）、その他図示しないプリンタ、キーボード・マウスなどを備えている。【００３３】  そして、本発明においては、ＣＰＵ（３０）においてアッテネータ（３ａ）〜（３ｄ）とネットワークアダプタ（３４）をネットワーク接続し、減衰量設定部（３５）において所定の減衰量になるようにアッテネータ（３）をソフトウェア制御する。このように、外部からの信号制御によって減衰量が設定できるアッテネータは公知である。【００３４】  また、同時に減衰量設定部（３５）では前記アンテナ切り換え処理部（２５）にアンテナの入力を切り換え、各アンテナ入力に対して、各減衰量の条件を与える。記録部（３６）では、減衰量設定部（３５）の設定値と、アクセスポイント（２０）の信号強度出力部（２３）からの信号強度を受信し、ハードディスク（３２）に記録していく。
この時に得るデータ形式は、アンテナ番号、減衰量をパラメータとする信号強度出力値の集合であり、アンテナ数×減衰量の種類の次元数のベクトルデータで表すことができる。【００３５】  ここで、以上のように減衰量を変化させる意義につき説述する。
ブルートゥースのようにごく近距離での通信を目的とした無線通信システムでは、アクセスポイントで受信した信号強度を出力する際に、実際のＲＦレベルをそのまま出力するのではなく、ＲＳＳＩ（Ｒｅｃｅｉｖｅｄ  ｓｉｇｎａｌ  ｓｔｒｅｎｇｔｈ  ｉｎｄｉｃａｔｏｒ）という値に変換して接続機器に出力するものがある。
ここで、ＲＦレベルとＲＳＳＩ値が線形になっていれば、接続機器では電波強度から端末との距離を推定し、３角測量と同様に位置を検出することができるが、実際には、図４に示すような特性を有している。【００３６】  図から明らかなように、ＲＦレベルが−７０ｄＢｍ付近まではＲＳＳＩ値は受信不可能な値として−１０を出力し、−６５ｄＢｍになると急激に受信好適範囲としてＲＳＳＩ＝０を出力する。この範囲は、Ｇｏｌｄｅｎ  Ｒｅｃｅｉｖｅｄ  Ｐｏｗｅｒ  Ｒａｎｇｅと呼ばれ、機器側に状態を明確に伝えるために通信可能な状態では出来る限り０が出力されるように変換されている。
この変換の結果、機器側では通信可能状態と不可能状態が明瞭に区別され、ブルートゥースリンクの確立が容易となる。【００３７】  反面、通信可能状態では、ほぼ常に０が出力されるため、機器側で実際の信号強度の大小が認識出来ず、特に上記に示したような位置検出方法は用いることができない。さらに、例えばアンテナと端末が数センチなどの極端に近い場合には、ＲＳＳＩが０よりも大きくなり、やはり位置検出では用いることができない。
本件発明者らによると、これらの特性は無響室でブルートゥース信号の外乱を除去してもなお同様であり、マルチパスなどの外乱の除去によってもクリアできない問題であることが判っている。【００３８】  そこで、本発明では、上記したアッテネータ（３）を用いて、減衰量を変化させることで、図５に示すようなＲＦレベルのシフトを行うことを提案している。【００３９】  すなわち、アンテナで受信した受信信号をアッテネータで順次０ｄＢ、−３ｄＢ、−６ｄＢ、−９ｄＢと減衰処理する。そうすると、図５のように、ＲＦレベル対ＲＳＳＩ値の特性がシフトする。０ｄＢの（Ａ）の場合には低めのＲＦレベルでもＲＳＳＩが０になるのに対し、減衰量を増すと段々グラフがシフトして、−９ｄＢの（Ｄ）の場合には、かなり強いＲＦレベルでなければＲＳＳＩが０にならない。【００４０】  このようにすると、例えばあるアンテナでＲＦレベルがαの信号を、別のアンテナではβの信号を、それぞれ受信した時、従前の方法ではいずれもＲＳＳＩ＝０となり、その信号強度を区別できなかったが、本方法では、（Ｂ）の場合は０，０、（Ｃ）の場合に−１０，０、（Ｄ）の場合に−１０，−３、というように両者を区別することができるようになる。【００４１】  前述したベクトルデータとして表すと、αがアンテナ１、βがアンテナ２での受信信号強度である時、
【数１】
2005210656.tif 000003
【００４２】  数１のように表すことができる。このようなベクトルデータを、記録部（３６）でハードディスク（３２）に記録する。なお、本実施例ではアンテナ数は４、減衰量は、４通りであるから１６次元のベクトルデータとなる。
このようなデータは、電波強度を表しているが、本発明では３角測量を用いずに、サンプルデータとの比較で、いずれの位置であるかを推定する手法を導入する。【００４３】  すなわち、事前に室内（１）の複数の場所において、端末を配置し、その際の上記ベクトルデータを集め、該位置とデータの組をサンプルデータベースとしてハードディスク（３２）内に格納しておく。
そして、ＣＰＵの演算処理部（３７）において、今回測定したベクトルデータと、サンプルデータベース内の各ベクトルデータとのベクトル量の差を算出する。【００４４】  ベクトル量の差を求める方法は、任意の手法を用いることができるが、例えば両者のユークリッド距離を求めることができる。又は単純に各成分の差の絶対値を加算したり、特定の成分に重みを乗じる方法もある。
ユークリッド距離を求める場合には、公知のように各成分間の差の２乗を全て加算し、その平方根を求めることで算出される。【００４５】  演算処理部（３７）により、サンプルデータベースのベクトルデータと、測定結果のベクトルデータの距離を順次計算し、比較出力部（３８）において最もその距離が小さいものを選択する。
そして、サンプルデータベースにおけるそのベクトルデータに対応する位置を、測定対象の端末の位置としてモニタ（３３）などから出力する。【００４６】  このとき、例えば予め室内（１）を３×３のマス状に分割し、各マス状の中心点に端末を設置して９つの領域のサンプルデータを収集し、位置検出時には、何れのマスにあるか、というように領域として結果を出力する構成でもよい。
あるいは、室内を均等に分割せず、室内における各ブース毎にサンプルデータベースを構築しておけば、例えば室内のテレビ付近、ソファー付近、窓際付近、といったようにそれぞれのブースにおける位置を出力することもできる。【００４７】  最後に、図６に示すような実験室（４０）内において、高さ２ｍの天井に４つのアンテナを設置し、１．７５ｍ四方の９つの領域に分けた場合の位置検出精度の比較実験を示す。
実験室（４０）には、コンピュータ及びデスク、テーブル、大型プラズマディスプレイ、スピーカなどが配置され、３面はほぼ木製の壁で囲まれている。【００４８】  そして、表１には本発明のようにアッテネータを可変する場合と、可変しないで一定量減衰する場合（各０，−３，−６，−９ｄＢ）の位置検出精度を示す。【００４９】
【表１】
2005210656.tif 000004
【００５０】  表１のように、全く減衰しない従前のブルートゥースのままの場合、検出精度は３８％と低く、−６ｄＢ減衰した場合には、７２％まで改善している。しかし、これは測定環境や使用した端末の出力などの関係に依存したものであり、汎用的に−６ｄＢが最適ということを示すものではない。
これに対し、本発明のように減衰量を可変にした場合、検出精度は９２％まで高まり、アンテナの設置数、位置の調整などにより、さらに高められるものと考えられる。【００５１】  以上、示したように本発明は、ブルートゥースのように信号強度出力が、実際の信号強度に対して偏って出力されるような無線通信システムであっても、可変アッテネータをアンテナと基地局との間に設置することで、位置検出を可能にすることができる。
なお、アッテネータはソフトウェアで自在に可変したが、複数の減衰量が固定のアッテネータをアンテナの切り換えと同様に切り換えて、他種類の減衰量の場合を測定してもよい。上記構成によれば、アッテネータを１個で構成することができるが、アンテナ毎にアッテネータを設置してもよい。【００５２】  また、本実施例のように平面的な位置の測定だけでなく、アンテナを３次元に分布配置し、３次元的に位置を計測することもできる。その場合においても、上記ベクトルデータ形式で表すことができる。
アンテナやアッテネータの設置数、アッテネータにおける減衰量の種類数は任意に設定することができる。
【図面の簡単な説明】
【００５３】
【図１】  本発明による端末位置検出システムの全体構成図である。
【図２】  本発明に係る基地局の構成図である。
【図３】  本発明に係る位置検出サーバーの構成図である。
【図４】  ＲＦレベル対ＲＳＳＩ値の特性を示すグラフである。
【図５】  本発明に係る特性シフトの原理を示す説明図である。
【図６】  本発明による試験を行った試験室の平面図である。
【符号の説明】
【００５４】  １    室内
２ａ〜２ｄ    アンテナ
３    可変アッテネータ
４    基地局
５    位置検出サーバ
【図１】
2005210656.tif 000005
【図２】
2005210656.tif 000006
【図３】
2005210656.tif 000007
【図４】
2005210656.tif 000008
【図５】
2005210656.tif 000009
【図６】
2005210656.tif 000010